(57)【要約】【課題】シャッターを開閉する機構を簡素化することで部品点数を減少して生産性の向上を図ることができる感光性記録媒体用カートリッジを提供すること。【解決手段】カートリッジ本体１８と、感光性記録媒体２００の一部を外部に露呈させる第１の開口部３２，３４と、第１の開口部３２，３４に対面して感光性記録媒体２００の一部を外部に露呈させる第２の開口部２４，２６を有する遮光板２０と、カートリッジ本体１８と遮光板２０との間に組み込まれたシャッター２２と、シャッター２２を第１の開口部３２，３４及び第２の開口部２４，２６の間に配置される閉位置に保持するロック機構１５０と、を備え、ロック機構１５０が、シャッター２２の閉位置からの開動作を許容する単一のロック部材３８を備えた感光性記録媒体用カートリッジ１００。【選択図】図３
2007102872.tif 000002
【特許請求の範囲】
【請求項１】
ディスク状の感光性記録媒体を収容する感光性記録媒体用カートリッジであって、
前記感光性記録媒体を回転自在に収容するカートリッジ本体と、
前記カートリッジ本体に設けられ前記感光性記録媒体の中心と記録面とを外部に露呈させる第１の開口部と、
前記カートリッジ本体の外側に取付けられ前記第１の開口部に対面して前記感光性記録媒体の前記中心と前記記録面とを外部に露呈させる第２の開口部を有する遮光板と、
前記カートリッジ本体と前記遮光板との間に組み込まれ前記第１の開口部及び前記第２の開口部よりも大きな外形を有し、前記遮光板の範囲内で閉位置と開位置間で移動自在であるシャッターと、
前記シャッターを閉位置で保持し、且つ、該閉位置からの開動作を許容する単一のロック部材を備えている感光性記録媒体用カートリッジ。
【請求項２】
前記シャッターの移動方向でカートリッジ縁部付近まで長手として有してシャッターに接合し、前記開口部から離れた配置の前記ロック部材と前記シャッターの閉位置で係合され、開動作により前記ロック部材から離脱されるスライド部材を備える請求項１記載の感光性記録媒体用カートリッジ。
【請求項３】
前記カートリッジ本体は、前記感光性記録媒体に対する内面と、前記シャッタに対する外面とに、表面粗さRa：５〜２０μｍのマット加工、またはシボ加工が施されていることを特徴とする請求項１又は２のいずれかに記載の感光性記録媒体用カートリッジ。
【請求項４】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１から３のいずれか１つに記載の感光性記録媒体用カートリッジ。
【請求項５】
前記第１シェル及び第２シェルと、シャッタは、その成形に用いられるプラスチックに遮光性物質が０．０１〜５．００重量％添加されていることを特徴とする請求項１から４のいずれか１つに記載の感光性記録媒体用カートリッジ。
【請求項６】
前記第１シェル及び第２シェルと、シャッタは、その成形に用いられるプラスチックにカーボンブラックが０．０１〜２．００重量％添加されていることを特徴とする請求項１から５のいずれか１つに記載の感光性記録媒体用カートリッジ。
【請求項７】
前記第１シェル及び第２シェルと、シャッタは、その成形に用いられるプラスチックにシリコーン系滑剤が０．１〜５．０重量％添加されていることを特徴とする請求項１から６のいずれか１つに記載の感光性記録媒体用カートリッジ。
【請求項８】
前記感光性記録媒体は、ホログラム記録媒体であることを特徴とする請求項１から７のいずれか１つに記載の感光性記録媒体用カートリッジ。
【発明の詳細な説明】
【技術分野】
【０００１】
本発明は、感光性記録媒体を収容する感光性記録媒体用カートリッジに関し、更に詳しくは、カートリッジ本体に設けられた開口部を開閉するシャッターを備えた感光性記録媒体用カートリッジに関する。
【背景技術】
【０００２】
従来の感光性記録媒体用カートリッジとして、データをホログラムによって記録するホログラム記録媒体をＤＶＤ−ＲＡＭのカートリッジに類似したカートリッジに収容したものが知られている（例えば、特許文献１参照）。このようなホログラム記録媒体は、円板形状の支持体上に感光性材料からなるホログラム記録層が層設された感光性記録媒体であり、データをレーザ光の干渉縞として多層記録することで、従来普及している記録媒体であるＤＶＤよりも大きなデータ記録容量を得ることができる。ホログラム記録媒体は、ホログラム記録層が曝光され、または塵芥が付着することにより、その性能に悪影響が及ぶために、カートリッジが遮光機能及び防塵機能を有することを必要とする。このような感光性記録媒体用カートリッジでは、カートリッジ本体に設けられた開口部を開閉するシャッターを備えているが、シャッターを開閉する機構が複雑になってコスト面で不利になるという問題点がある。
【特許文献１】特開２００４−０２９４７６号公報
【発明の開示】
【発明が解決しようとする課題】
【０００３】
本発明は、上記問題点を鑑みなされたもので、その課題としては、シャッターを開閉する機構を簡素化することで部品点数を減少して生産性の向上を図ることができる感光性記録媒体用カートリッジを提供することにある。
【課題を解決するための手段】
【０００４】
本発明に係る上記課題は、下記構成により達成される。
（１）  ディスク状の感光性記録媒体を収容する感光性記録媒体用カートリッジであって、前記感光性記録媒体を回転自在に収容するカートリッジ本体と、前記カートリッジ本体に設けられ前記感光性記録媒体の中心と記録面とを外部に露呈させる第１の開口部と、前記カートリッジ本体の外側に取付けられ前記第１の開口部に対面して前記感光性記録媒体の前記中心と前記記録面とを外部に露呈させる第２の開口部を有する遮光板と、前記カートリッジ本体と前記遮光板との間に組み込まれ前記第１の開口部及び前記第２の開口部よりも大きな外形を有し、前記遮光板の範囲内で閉位置と開位置間で移動自在であるシャッターと、前記シャッターを閉位置で保持し、且つ、該閉位置からの開動作を許容する単一のロック部材を備えている感光性記録媒体用カートリッジ。
（２）  前記シャッターの移動方向でカートリッジ縁部付近まで長手として有してシャッターに接合し、前記開口部から離れた配置の前記ロック部材と前記シャッターの閉位置で係合され、開動作により前記ロック部材から離脱されるスライド部材を備える上記（１）記載の感光性記録媒体用カートリッジ。
このようにロック機構は、シャッターが第１の開口部及び第２の開口部の間に配置される閉位置からの開動作を許容する単一のロック部材を備えることで、ロック機構を構成する部品点数を減少させることができるので、部品管理の工数を削減できるとともにコスト面で有利にすることができる。
【０００５】
また、上記カートリッジ本体は、感光性記録媒体に対する内面と、シャッタに対する外面とに、表面粗さRa５：〜２０μｍのマット加工、またはシボ加工が施されていることが好ましい。こうすれば、カートリッジ内部や、カートリッジ本体とシャッタとの間に光が進入した場合でも、粗面によって光を拡散、減衰させることができるため、感光性記録媒体に対する影響を軽減させることができる。
【０００６】
また、上記カートリッジ本体は、板形状の第１シェルと、この第１シェルに重ね合わされて溶着される第２シェルからなり、第１シェル及び第２シェルは、同一または類似の熱可塑性プラスチックで形成され、かつシャッタを含むその他の部品は、第１シェル及び第２シェルと異なる材質で形成されていることが好ましい。これにより、第１シェルと第２シェルとの溶接時に第１シェル及び第２シェルとその他の部品とが溶着してしまうのを防止することができる。
【０００７】
上記カートリッジは、第１シェル及び第２シェルと、シャッタは、その成形に用いられるプラスチックに遮光性物質が０．０１〜５．００重量％添加されていることが好ましい。また、第１シェル及び第２シェルと、シャッタは、その成形に用いられるプラスチックにカーボンブラックを使用する場合は、カーボンブラックが０．０１〜２．００重量％添加されていることが好ましい。こうすれば、カートリッジ本体とシャッタとの光透過率を小さくすることができ、カートリッジの遮光性能を向上させることができる。
【０００８】
また、上記カートリッジは、第１シェル及び第２シェルと、シャッタは、その成形に用いられるプラスチックにシリコーン系滑剤が０．１〜５．０重量％添加されていることが好ましい。こうすれば、シャッタの動作が滑らかになるため、シャッタとカートリッジ本体との間の摩擦により削り屑等が発生するのを防止することができる。
【０００９】
上記カートリッジは、前記感光性記録媒体としてホログラム記録媒体に適用できる。上記構成により、ホログラム記録媒体を感光させることなく、持ち運びができ、設置位置の異なる記録装置で利用可能となる。
【発明の効果】
【００１０】
本発明によって、シャッターを開閉する機構を簡素化することで部品点数を減少して生産性の向上を図ることができる感光性記録媒体用カートリッジを提供できる。
【発明を実施するための最良の形態】
【００１１】
以下、本発明の実施形態について図面を参照して説明する。
図１は本発明の実施形態による感光性記録媒体用カートリッジの一方の面を上方にした外観斜視図、図２は図１を裏返しにした外観斜視図である。
図において、感光性記録媒体用カートリッジ１００は、内部に設けられたディスク収容部１２（図３参照）に円板形状のホログラム記録媒体２００を回転自在に収容している。
【００１２】
感光性記録媒体用カートリッジ１００は、この感光性記録媒体用カートリッジ１００を取り扱うホログラム記録装置等に対し、図１中に示す矢印Ａ方向から装填される。感光性記録媒体用カートリッジ１００の装填方向先端部の両側面には、この感光性記録媒体用カートリッジ１００がホログラム記録装置等の各種機器に装填された際に、各機器に設けられた位置決め部材を挿入するための一対の位置決め溝１４，１６がそれぞれ設けられている。
【００１３】
ホログラム記録媒体２００は、中心に穴部を有してディスク状にしたホログラム記録ディスクであり、両面にホログラム記録層が設けられている。ホログラム記録層には、例えば、緑色５３２ｎｍ〜青色４０５ｎｍの波長域のレーザ光により、データがレーザ光の干渉縞として多層記録される。なお、ホログラム記録媒体２００の穴部に補強材を付加しても良い。感光性記録媒体用カートリッジ１００は、ホログラム記録媒体２００の両面の記録面に記録を行うために、Ａ面２０２またはＢ面２０４のいずれかの面を上にしてホログラム記録装置にセットされる。
【００１４】
感光性記録媒体用カートリッジ１００は、ディスク収容部１２が設けられたカートリッジ本体１８と、このカートリッジ本体１８の外側を挟み込むようにして取付けられた遮光板２０と、カートリッジ本体１８と遮光板２０との間に組み込まれたシャッター２２と、を備えている。遮光板２０の上下面には、第２の開口部である略長方形の外部開口部２４，２６がそれぞれ形成されている。これら外部開口部２４，２６は、シャッター２２が閉位置ＣＬにあるときに、シャッター２２に有する第１シャッター板２８，第２シャッター板３０によって閉成される。
【００１５】
シャッター２２は、図１中に示す矢印Ｂ方向に開位置ＯＰまで移動されることで、外部開口部２４，２６に対面するように相似形状にしてカートリッジ本体１８に設けられた内部開口部（図３参照）３２，３４を開放させる。これにより、ディスク収容部１２内に収容されているホログラム記録媒体２００の中心部（図３参照）２０６と、記録面２０８と、が外部に露呈される。
【００１６】
シャッター２２は、内蔵するシャッターばね（図３参照）３６によって閉方向に常時付勢されており、且つ、ロック機構（図３参照）１５０によって閉位置ＣＬでロックされている。ロック機構１５０の解除は、ロック機構１５０に備えたロック部材（図３参照）３８にロック解除機構（図４参照）１８０に備えた係合ピン４０，４２のうちの一方が挿入され、その係合ピン４０がスライド移動されることでなされる。これにより、シャッター２２は、この操作が行われなければ解除されることがないので、不用意に開放されることはない。
【００１７】
図３は感光性記録媒体用カートリッジ１００の構成を示す分解斜視図である。
図３に示すように、カートリッジ本体１８は、板形状の第１シェル４４と、この第１シェル４４に接合される第２シェル４６と、これら第１シェル４４，第２シェル４６の間に組み込まれてシャッター２２のロックを司るロック機構１５０と、から主として構成されている。
【００１８】
第１シェル４４及び第２シェル４６は、例えば、遮光性物質と滑剤とが添加された同一または類似の熱可塑性プラスチックを用いて、射出成形により板形状に形成されている。
【００１９】
第１シェル４４の内面には、ホログラム記録媒体２００の外径よりも大きな径で形成された突状である不図示の一対の第１シェル側遮光壁がそれぞれ設けられており、第１シェル４４には、端縁全周に設けられた第１シェル側外周突条４８と、ホログラム記録媒体２００のＡ面２０２において中心部２０６及び記録面２０８を外部に露呈させるための第１の開口部である内部開口部３２と、が設けられている。
【００２０】
第２シェル４６の内面には、ホログラム記録媒体２００の外径よりも大きな径で形成された突状である不図示の第２シェル側遮光壁が設けられており、この第２シェル側遮光壁が第１シェル側遮光壁の間に挿入される。また、第２シェル４６には、端縁全周に設けられた第２シェル側外周突条５０と、ホログラム記録媒体２００のＢ面２０４において中心部２０６及び記録面２０８を外部に露呈させるための第１の開口部である内部開口部３４と、が設けられている。
【００２１】
ホログラム記録媒体２００は、第２シェル４６の第２シェル側遮光壁の内側上に載置され、この第２シェル４６の上面に第１シェル４４を重ね合わせることで、第２シェル側遮光壁が一対の第１シェル側遮光壁の間に組み付けられ、第２シェル側遮光壁の先端が第１シェル４４の内面に当接するために、これら遮光壁により形成されたラビリンス状の遮光構造をもつディスク収容部１２内に収容される。これにより、第１シェル４４及び第２シェル４６の各外周突状４８，５０の合わせ目から光や塵芥が入り込んだとしても、これらがディスク収容部１２内にまで進入することはない。
【００２２】
また、第２シェル４６の第２シェル側遮光壁の先端部は、第１シェル４４の内面に超音波溶着によって固着されているために、第１シェル４４と第２シェル４６とは強固に接合され、両シェル４４，４６の合わせ目に隙間が開くようなことはない。また、超音波溶着を行うと、プラスチック粉が周囲に飛散する場合があるが、第１シェル４４の外周側の第１シェル側遮光壁と第２シェル４６の第２シェル側遮光壁との間で行うことによりプラスチック粉の飛散を最小限に抑制することができるので、ホログラム記録媒体２００の汚損を防止することができる。
【００２３】
なお、第１シェル４４と第２シェル４６との接合は、カートリッジ本体１８にシャッター２２やロック機構１５０を組み込んだ後に行うと、シャッター２２やロック機構１５０を構成する部品が一緒に溶着されることがある。これを防止するために、シャッター２２やロック機構１５０の構成部品の材質には、第１シェル４４及び第２シェル４６の材質とは異なる種類のプラスチックを用いるのが好ましい。
【００２４】
遮光板２０は、その材質に、遮光性、耐食性、装飾性、加工性を得ることができ、且つ、軽量で強度のあるものとして、例えばアルミニウム合金等が適用される。なお、遮光板２０はプラスチックで成形しても良いが、遮光性と、シャッター２２の滑り性とを確保するために、遮光性物質と滑剤とが添加されたプラスチックを用いるのが好ましい。遮光板２０は、アルミニウム合金の薄板の外部開口部２４，２６と、シャッター２２の移動範囲を得るための切欠５２と、を有し、断面が略コ字形状となるように屈曲させて成形されている。これにより、遮光板２０には、外部開口部２４が形成された第１板部５４と、外部開口部２６が形成された第２板部５６と、第１板部５４と第２板部５６とを連結させる第３板部５８と、を有し、第３板部５８に切欠５２が形成されている。
【００２５】
遮光板２０は、第１板部５４及び第２板部５６でカートリッジ本体１８を挟み込み、第３板部５８でカートリッジ本体１８の装填方向の先端部を覆うようにカートリッジ本体１８に組み付けられる。このとき、第１シェル４４及び第２シェル４６の外面には、遮光板２０の厚み以上の深さでもって内側にオフセットされた遮光板取付面６０，６２が形成されているために、カートリッジ本体１８に組み付けられた遮光板２０の外面が感光性記録媒体用カートリッジ１００の表面から突出することはない。
【００２６】
遮光板２０の第１板部５４及び第２板部５６の外縁部には、略等間隔で小さい穴６４が複数並べて形成されている。また、第１シェル４４及び第２シェル４６の遮光板取付面６０，６２には、遮光板２０の各穴６４に対応する位置に、遮光板２０の厚みよりも僅かに長い複数のピン６６が一体に形成されている。これにより、遮光板２０がカートリッジ本体１８の外側に外嵌されることで第１シェル４４及び第２シェル４６の各ピン６６が各穴６４にそれぞれ挿入されて遮光板２０の表面から突出され、各ピン６６の先端部が熱で潰されることにより、遮光板２０がカートリッジ本体１８に分離不能に固着される。なお、遮光板２０のカートリッジ本体１８への固着方法としては、これ以外に、接着剤や両面テープ、ねじ止め等を用いることができる。また、遮光板２０をプラスチックで成形した場合には、各種の溶着手段を用いることもできる。
【００２７】
シャッター２２は、遮光性を有する薄板を略コ字形状になるように屈曲されて成形されており、細長い板形状のスライド部材６８が組み付けられている。シャッター２２は、遮光板２０と同様の理由により、例えば、アルミニウム合金で成形されている。なお、シャッター２２もプラスチックで成形しても良いが、やはり、遮光性と滑り性とを確保するために、遮光性物質と滑剤とが添加されたプラスチックを用いるのが好ましい。スライド部材６８は、遮光性物質と滑剤とが添加されたプラスチックで成形されている。
【００２８】
シャッター２２は、第１シェル４４の外面と遮光板２０の第１板部５４との間に挿入される第１シャッター板２８と、第２シェル４６の外面と遮光板２０の第２板部５６との間に挿入される第２シャッター板３０と、これら第１シャッター板２８と第２シャッター板３０とを連結するとともにスライド部材６８が取り付けられる連結部７０と、を有する。そして、第１シェル４４と第２シェル４６との外面には、遮光板取付面６０，６２の内側に、シャッター２２の厚み以上の深さでもって内側にオフセットさせたシャッター摺動面７２，７４が形成されている。これにより、シャッター２２は、カートリッジ本体１８と遮光板２０との間をスムースに移動することができるために、移動による切屑の発生を抑制することができる。なお、シャッター摺動面７２，７４は、入射した光を拡散するために粗面化処理を施しても良い。同様に、遮光板２０の内面、シャッター２２の内面及び外面を粗面にしても良い。
【００２９】
スライド部材６８は、上面がカートリッジ本体１８の装填方向の先端面から露出されるように、第１シェル４４と第２シェル４６との間にスライド移動自在に組み込まれる。このスライド部材６８の上面端部には、シャッター２２の連結部７０の内面に取り付けられる取付面７６が形成されている。この取付面７６には、例えば２本のピン７８が一体に突出形成されており、シャッター２２の連結部７０に設けられた２個の穴８０に挿入されて熱により先端部が潰されることでスライド部材６８がシャッター２２に固着される。なお、この固着にも接着剤や両面テープ等或いはねじ止めを用いても良いし、シャッター２２をプラスチックで成形した場合には、各種の溶着手段を用いることもできる。
【００３０】
スライド部材６８の側面には、長さ方向に沿って溝８２が形成されている。溝８２は、第１シェル４４及び第２シェル４６の装填方向Ａ先端側の内面に設けられた不図示の突状に挿入されることで、スライド部材６８がカートリッジ本体１８から脱落することなくスライド移動自在に支持される。
【００３１】
スライド部材６８の他方の上面端部には、シャッター２２を開く際に操作される非操作用の突部８４が一体に突出形成されている。この突部８４は、シャッター２２に対し、スライド部材６８をシャッター閉じ方向に伸ばすように設けられているために、遮光板２０の第３板部５８に隠れることなく外部に露出されている。このとき、遮光板２０の第３板部５８に形成された切欠５２は、シャッター２２が開位置ＯＰに向けて移動する際に、突部８４との干渉を避けるために設けられている。
【００３２】
シャッター２２は、シャッター付勢ばね３６により閉じ方向に付勢されている。このシャッター付勢ばね３６は、例えばねじりコイルばねであり、その両端が、スライド部材６８と、第１シェル４４の内面と、に係止されている。
【００３３】
ロック機構１５０は、シャッター２２を閉位置ＣＬでロックするためのロック部材３８と、ロックばね８８と、から構成されている。
【００３４】
ロック部材３８は、矩形の基部９０と、この基部９０の先端部に一体にして略三角形状に形成された爪部９２と、を有する。基部９０の中央部には、貫通穴状の操作穴９４が形成されており、爪部９２の側部には、スライド部材６８に形成されたロック部材挿入孔９６への係合を誘導するための斜面９８が形成されている。
【００３５】
基部９０は、第１シェル４４の内面に形成されたガイド枠１０２に挿入されることで、スライド部材６８に対して直行する方向に移動自在に支持されており、ロックばね８８は、端部が、基部９０と第１シェル４４とにそれぞれ係止されている。これにより、ロック部材３８は、ロックばね８８の弾性反発力により、スライド部材６８に衝突する方向に常時付勢されている。そして、基部９０の操作穴９４は、第１シェル４４に貫通して長孔状に形成された第１シェル側誘導孔１０４と、第２シェル４６に貫通して長孔状に形成された第２シェル側誘導孔１０６とに対応して配置される。
【００３６】
図４は感光性記録媒体用カートリッジ１００に適用されるホログラム記録装置３００を示す外観斜視図である。
図４に示すように、ホログラム記録装置３００には、一対の位置決め部材３０２，３０４と、ロック部材３８を操作させるロック解除機構１８０と、シャッター２２を閉位置ＣＬから開位置ＯＰへスライド移動させるシャッタースライド機構３３０と、を備える。
【００３７】
一対の位置決め部材３０２，３０４は、感光性記録媒体用カートリッジ１００が装置内に装填される際に、位置決め溝１４，１６にそれぞれ係合することで、挿入方向及び挿入方向に直交する方向でもって感光性記録媒体用カートリッジ１００を位置決めする。
【００３８】
ロック解除機構１８０は、感光性記録媒体用カートリッジ１００の第１シェル側誘導孔１０４または第２シェル側誘導孔１０６を通じてロック部材３８の操作穴９４に挿入される一対の係合ピン４０，４２と、これら係合ピン４０，４２をロック部材３８のロック解除方向にスライド移動させる不図示のスライド機構と、を備えている。このとき、ホログラム記録媒体２００は、両面への記録が可能であり、感光性記録媒体用カートリッジ１００が反転されて装填された際にも操作を行えるようにするために、一対の係合ピン４０，４２のうちの使われない方の係合ピン４０，４２がスライド機構内に引っ込むようになっている。
【００３９】
シャッタースライド機構３３０は、スライド部材６８の突部８４に当接する操作片３３２と、この操作片３３２をシャッター２２のスライド方向にスライド移動させる不図示のスライド機構と、を備えている。シャッタースライド機構３３０も、ロック解除機構１８０と同様にして、感光性記録媒体用カートリッジ１００の反転装填に対応してもうひとつの操作片３３４を備えている。
【００４０】
図５（Ａ），（Ｂ），（Ｃ）は感光性記録媒体用カートリッジ１００がホログラム記録装置３００に装填される際の各部の動きを説明する部分断面図である。
【００４１】
図５（Ａ）に示すように、感光性記録媒体用カートリッジ１００がホログラム記録装置３００に装填される以前において、ロック部材３８は、ロックばね８８によりスライド部材６８側に付勢されているために、ロック部材３８の爪部９２がスライド部材６８のロック部材挿入孔９６に挿入されており、スライド部材６８はロック部材３８によって移動不能に保持されている。スライド部材６８が移動不能であるために、シャッター２２は、各外部開口部２４，２６及び各内部開口部３２，３４を閉塞している。
【００４２】
図５（Ｂ）に示すように、感光性記録媒体用カートリッジ１００がホログラム記録装置３００に装填されると、位置決め部材３０２が位置決め溝１４に、位置決め部材３０４が位置決め溝１６にそれぞれ挿入される。そして、ロック解除機構１８０の係合ピン４０が第２シェル４６の第２シェル側誘導孔１０６を通じてロック部材３８の操作穴９４に挿入され、シャッタースライド機構３３０の操作片３３２がスライド部材６８の突部８４の外側に配置される。このとき、ロック部材３８の爪部９２は、スライド部材６８のロック部材挿入孔９６に挿入されたままであるために、スライド部材６８はロック部材３８によって移動不能である。
【００４３】
図５（Ｃ）に示すように、図５（Ｂ）の以後、ロック解除機構１８０の係合ピン４０が解除方向にスライド移動されるために、ロック部材３８がロックばね８８に抗してスライド部材６８から離れる方向にスライド移動される。そして、シャッタースライド機構３３０の操作片３３２がスライド部材６８の突部８４を図５（Ｃ）中の左方向であるシャッター開方向に押圧させるために、シャッター２２が開位置ＯＰに移動して各外部開口部２４，２６及び各内部開口部３２，３４を開放する。
【００４４】
このように、感光性記録媒体用カートリッジ１００は、ロック機構１５０が、主として、ロック部材３８のみにより構成されているために簡素な構造となり、また、ロック部材３８をスライド移動させない限り、ロックを解除させることができないので、シャッター２２が不用意に開放されるのを効果的に防止することができる。
【００４５】
図６はロック部材の形状が異なるものとしたロック機構の構成を示す一部破断分解斜視図、図７（Ａ），（Ｂ），（Ｃ）は図６の構成の感光性記録媒体用カートリッジ１００がホログラム記録装置３００に装填される際の各部の動きを説明する部分断面図である。なお、本構成において、上述した実施形態で既に説明した部材等と同様な構成・作用を有する部材等については、図中に同一符号または相当符号を付することにより、説明を簡略化する。
【００４６】
この場合のロック部材１３８には、先端部に矩形状の爪部１９２が形成されており、スライド部材６８に凹形状のロック部材挿入部１９６が形成されている。
【００４７】
図７（Ａ）に示すように、感光性記録媒体用カートリッジ１００がホログラム記録装置３００に装填される以前において、ロック部材１３８は、ロックばね８８によりスライド部材６８側に付勢されているために、ロック部材１３８の爪部１９２がスライド部材６８のロック部材挿入部１９６に挿入されており、スライド部材６８はロック部材１３８によって移動不能に保持されている。
【００４８】
図７（Ｂ）に示すように、感光性記録媒体用カートリッジ１００がホログラム記録装置３００に装填されると、位置決め部材３０２が位置決め溝１４に、位置決め部材３０４が位置決め溝１６にそれぞれ挿入される。そして、ロック解除機構１８０の係合ピン４０が第２シェル４６の第２シェル側誘導孔１０６を通じてロック部材１３８の操作穴９４に挿入され、シャッタースライド機構３３０の操作片３３２がスライド部材６８の突部８４の外側に配置される。このとき、ロック部材１３８の爪部１９２は、スライド部材６８のロック部材挿入部１９６に挿入されたままであるために、スライド部材６８はロック部材１３８によって移動不能である。
【００４９】
図７（Ｃ）に示すように、ロック解除機構１８０の係合ピン４０が解除方向にスライド移動されるために、ロック部材１３８がロックばね８８に抗してスライド部材６８から離れる方向にスライド移動される。そして、シャッタースライド機構３３０の操作片３３２がスライド部材６８の突部８４を図７（Ｃ）中の左方向であるシャッター開方向に押圧させるために、シャッター２２が開位置ＯＰに移動して各外部開口部２４，２６及び各内部開口部３２，３４を開放する。
【００５０】
なお、上述した実施形態において、第１シェル４４及び第２シェル４６を成形するのに用いるプラスチックに添加する遮光性物質としては、様々な物質を添加することができるが、使用する遮光性物質に応じて、例えば、０．０１〜５．００重量％を添加することが好ましい、また、上記遮光性物質として、例えば、カーボンブラックを用いることができる。このカーボンブラックの添加により遮光性を確保し、物理強度を向上させることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００５１】
また、滑剤として、例えば、シリコーン系滑剤を用いることができる。このシリコーン系滑剤の添加により摩擦抵抗が低減するため、シャッター２２の移動による削り屑の発生を少なくすることができる。また、輸送時の衝撃でホログラム記録媒体２００とカートリッジ本体１８の内壁とが接触した場合の削り屑の発生も低減することができる。更に、機器への挿入性等の取り扱い性が向上する。また、流動性が向上するために、成形時の混練性、射出成形性等の加工性等も向上する。
【００５２】
なお、シリコーン系滑剤の添加量としては、０．１〜３．０重量％が好ましい。０．１重量％以下では効果が少なく、３．０重量％以上では、流動性がよくなりすぎて混練、成形時にスクリューと樹脂とに滑りが生じて加工性が悪化し、製品表面にプリードアウトしてホログラム記録媒体２００や使用者の手などに付着し、取り扱い性、外観性で不具合を生じることがあるためである。なお、共重合シリコーンを使用する場合には、上記不具含は生じにくくなるため、５．０重量％まで添加することが可能である。
【実施例】
【００５３】
次に、本発明の実施例について説明する。
第１シェル４４及び第２シェル４６の成形に用いる熱可塑性プラスチックには、ＰＣ、ＰＢＴ、ＡＢＳ、ＰＯＭ、ＰＳ、ＰＰ、ＨＤＰＥ、ＰＡ、ＰＥＴ、ＰＰＳ、ＳＡＮ（スチレン−アクリロニトリル共重合〉、ＰＭＭＡ、ＰＣ等を用いることができる。また、超音波溶着による誤溶着防止のために、第１シェル４４及び第２シェル４６以外の部品については、上記熱可塑性プラスチックの中から、第１シェル４４及び第２シェル４６に使用したものと異なるものを選択するとよい。
【００５４】
第１シェル４４及び第２シェル４６には、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光特性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが考えられる。
【００５５】
（１)無機化合物
Ａ．酸化物・・・シリカ、ケイ藻土、アルミナ、酸化チタン、酸化鉄(鉄黒)、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーソナイト等
Ｄ．(亜)硫酸塩・・・硫酸カルシウム、硫酸バリウム、硫酸アンモニウム、亜硫酸カルシウム等
Ｅ．ケイ酸塩・・・タルク、クレー、マイカ、アスべスト、ガラス繊維、ガラスバルーン、ガラスビーズ、ケイ酸カルシウム、モンモリロナイト、ベントナイト等
Ｆ．炭素・・・カーボンブラック、グラファイト、炭素繊維、炭素中空球等
Ｇ．その他・・・鉄粉、銅粉、鉛紛、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
（２）有機化合物
木粉(松、樫、ノコギリクズなど)、穀繊維(アーモンド、ピーナッツ、モミ穀など)、木綿、ジュート、紙細片、非木材繊維(ワラ、ケナフ、竹、エスパルト、パガス、モロヘイヤ、煙火など)セロハン片、ナイロン繊維、ポリプロビレン繊維、デンプン(変性デンプン、表面処理デンプンも含む)、芳香族ポリアミド繊維等
【００５６】
これらの遮光性物質の中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００５７】
遮光性物質としてカーボンブラックを使用する場合には、その添加量を０．０１〜２．００重量％とするのが好ましい。上述したように、遮光性及び物理強度のバランスがよいプラスチックを得るためである。
【００５８】
カーボンブラックの原料による分類例をあげると、ガスブラック、ファーネスプラック、チャンネルブラック、アントラセンブラック、アセチレンブラック、ケッチェンカーボンプラック、サーマルブラック、ランプブラック、油煙、松煙、アニマルプラック、ベジタブルブラック等がある。
【００５９】
好ましいカーボンブラックの市販品の代表例としては、例えば三菱化成製のカーボンブラック＃２０（Ｂ），＃３０（Ｂ），＃３３（Ｂ），＃４０（Ｂ），＃４１（Ｂ），＃４４（Ｂ），＃４５（Ｂ），＃５０，＃５５，＃１００，＃６００，＃９５０，＃１０００，＃２２００，＃２４００，＃ＭＡ８，ＭＡ１１，ＭＡ１００等が挙げられる。また、電気化学製のデンカブラック、東海カーボンのシースト、旭カーボンの旭＃７８、昭和キャボットのショウワブラック、新日鉄化学のニテロン、三菱化学のダイヤブラック等の各種グレードのものも用いることができる。
【００６０】
海外の製品としては、例えばキャボット社のＢｌａｃｋ  Ｐｅａｒｌｓ  ２，４６，７０，７１，７４，８０，８１，６０７等、Ｒｅｇａｌ３００，３３０，４００，６６０，９９１，ＳＲＦ−Ｓ等、Ｖｕｌｃａｎ  ３，６等、Ｓｔｅｒｌｉｎｇ１０，ＳＯ，Ｖ，Ｓ，ＦＴ−ＦＦ，ＭＴ−ＦＦが挙げられる。
【００６１】
さらにアシュランドケミカル社のＵｎｉｔｅｄ  Ｒ，ＢＢ，１５，１０２，３００１，３００４，３００６，３００７，３００８，３００９，３０１１，３０１２，ＸＣ−３０１６，ＸＣ−３０１７，３０２０等を挙げることができるが、本発明は、これらに限定されるものではない。
【００６２】
また、第１シェル４４及び第２シェル４６に添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練り込み品のどちらでも使用可能である。なお、シリコーン系滑剤の添加量としては、０．１〜５．０重量％が好ましい。上述したように、摩捧抵抗と、製造適正、製品品質のバランスのよいプラスチックを得るためである。
【００６３】
また、第１，第２シェル４４，４６設ける粗面としては、表面粗さＲａ：５μｍ以下だと光拡散効果が薄く、２０μｍ以上だとホログラム記録媒体２００との接触時に傷を発生させるおそれがある。そのため、表面粗さＲａ：５〜２０μｍのマット加工、またはシボ加工が好ましい。
【００６４】
遮光板２０及びシャッター２２に使用するアルミニウム合金としては、Ａｌ−Ｍｇ系合金が好ましく、例えば、ＪＩＳ合金番号５０５２，５０５６等が好ましい。また、より強度を高める場合には、ＪＩＳ合金番号５０８３，５０８６等がより好ましい。更に、強度を高める場合には、Ａｌ−Ｍｇ−Ｓｉ系合金(例えば、ＪＩＳ合金番号６０６３，６０６１)や、Ａｌ−Ｃｕ系合金(例えば、ＪＩＳ合金番号２０１４，２０１７)、Ａｌ−Ｚｎ−Ｍｇ系含金(例えば、ＪＩＳ合金番号７００３，７Ｎ０１，７０７５，７０５０)等を用いてもよい。軽量化、加工のしやすさから、遮光板２０及びシャッター２２の厚みは１．０ｍｍ以下が好ましく、より好ましくは０．１５〜０．５ｍｍである。
【００６５】
また、遮光板２０及びシャッター２２は、プラスチックで成形してもよい。その際に使用するプラスチックとしては、例えばＰＯＭ等が適しており、上述した第１シェル４４等と同様に、遮光性物質や滑剤を添加するとよい。
【００６６】
シャッター付勢ばね８６やロックばね８８には、ばね定数、耐久性、加工性などの観点から、オーステナイト系ばね用ステンレス綱の使用が好ましく、例えば、ＳＵＳ３００番台を用いることができる。また、好ましい線径としては、シャッター付勢ばね８６は０．２〜０．７ｍｍ、ロックばね８８は０．１５〜０．４ｍｍが好ましい。
【００６７】
また、第１シェル４４と第２シェル４６との固着に超音波溶着を用いたが、その他の溶着方法及び固着方法を用いてもよい。例えば、ねじなどで固着する場合には、ねじ穴の周囲にも遮光構造を形成するのが好ましい。また、第２シェル４６及び第１シェル４４を１部品で構成したが、複数の部品を組みあわせて形成してもよい、例えば、ディスク収容部１２を境にして２部品で構成すれば、金型の簡易化を図ることができる。
【００６８】
更に、両面に記録が可能なホログラム記録媒体２００を収容する感光性記録媒体用カートリッジ１００を例に説明したが、一方の面に記録されるホログラム記録媒体に対応させてもよい。この揚合には、開口部を一方の面にのみ形成し、シャッター２２でこの開口部を開閉する。また、ホログラム記録媒体を収容する感光性記録媒体用カートリッジ１００を例に説明したが、その他の感光佳を有する記録媒体を収容する場合にも本発明を適用することができる。
【図面の簡単な説明】
【００６９】
【図１】本発明の実施形態による感光性記録媒体用カートリッジの一方の面を上方にした外観斜視図である。
【図２】図１に示した感光性記録媒体用カートリッジを裏返しにした外観斜視図である。
【図３】感光性記録媒体用カートリッジの構成を示す分解斜視図である。
【図４】感光性記録媒体用カートリッジに適用されるホログラム記録装置を示す外観斜視図である。
【図５】（Ａ），（Ｂ），（Ｃ）は感光性記録媒体用カートリッジがホログラム記録装置に装填される際の各部の動きを説明するそれぞれ部分断面図である。
【図６】ロック部材の形状が異なるものとしたロック機構の構成を示す一部破断分解斜視図である。
【図７】（Ａ），（Ｂ），（Ｃ）は図６の構成の感光性記録媒体用カートリッジがホログラム記録装置に装填される際の各部の動きを説明する部分断面図である。
【符号の説明】
【００７０】
１８  カートリッジ本体
２０  遮光板
２２  シャッター
２４，２６  外部開口部（第２の開口部）
３２，３４  内部開口部（第１の開口部）
３８  ロック部材
６８  スライド部材
１００  感光性記録媒体用カートリッジ
１５０  ロック機構
２００  ホログラム記録媒体（感光性記録媒体）
【図１】
2007102872.tif 000003
【図２】
2007102872.tif 000004
【図３】
2007102872.tif 000005
【図４】
2007102872.tif 000006
【図５】
2007102872.tif 000007
【図６】
2007102872.tif 000008
【図７】
2007102872.tif 000009